(57)【要約】【課題】  取り扱い性を向上させるとともに、未使用時の状態をより小型化することができる包帯を提供する。【解決手段】  巻芯２に巻き取られて成る包帯であって、巻芯２は、包帯と略同一寸法の幅を有する長尺状シートの両端を接合し、折り畳んで平板状とされ得る筒状部材から成り、筒状に復元して内部に所定空間Ｓを形成し得るものであり、長尺状シートの少なくとも一端には、筒状に復元されたときに外方へ微小寸法突出する突起が形成されたものである。【選択図】図１
2007020831.tif 000002
【特許請求の範囲】
【請求項１】
巻芯に巻き取られて成る包帯であって、
前記巻芯は、折り畳んで平板状とされ得る筒状部材から成り、筒状に復元して内部に所定空間を形成し得ることを特徴とする包帯。
【請求項２】
前記巻芯は、包帯と略同一寸法の幅を有する長尺状シートの両端を接合して筒状とし、平板状に折り畳み可能とされたことを特徴とする請求項１記載の包帯。
【請求項３】
前記長尺状シートの少なくとも一端には、筒状に復元されたときに外方へ微小寸法突出する突起が形成されたことを特徴とする請求項２記載の包帯。
【発明の詳細な説明】
【技術分野】
【０００１】
本発明は、巻芯に巻き取られて成る包帯に関するものである。
【背景技術】
【０００２】
人体の所望部位に巻き付けて患部等を保護するための包帯は、従来、巻芯を用いず、そのまま巻き取られた状態とされており、使用時においては、その巻き取られた状態（全体として円柱状となった状態）の側面を片手で掴みつつもう一方の手で繰り出すことにより、患部等人体に巻くことが可能とされていた。尚、かかる先行技術は、文献公知発明に係るものでないため、記載すべき先行技術文献情報はない。
【発明の開示】
【発明が解決しようとする課題】
【０００３】
しかしながら、上記従来の包帯においては、使用時において側面を片手で掴みつつもう一方の手で繰り出す必要があるため、繰り出し時には掴む部位を絶えず代えなければならず、掴み代えの際に包帯を落下させてしまう虞がある等、取り扱い性が著しく悪いものであった。即ち、使用時、全体として円柱状に巻き取られた包帯を掴むには、その側面を把持する以外にない一方、巻き取られた包帯は、その側面（外側）から順次繰り出されることとなるので、頻繁な掴み代えが必要となるのである。
【０００４】
そこで、本出願人は、トイレットペーパーの如く筒状の巻芯に包帯を巻き取り、使用時においては、巻芯の空間部（中空部）に指や手を挿通し、その状態にて繰り出しを行わせるようにした包帯を検討するに至ったが、その場合、巻芯の空間の分だけ包帯全体が大型化してしまい、未使用時の搬送時や収納時により大きなスペースが必要となってしまうという問題がある。
【０００５】
本発明は、このような事情に鑑みてなされたもので、取り扱い性を向上させるとともに、未使用時の状態をより小型化することができる包帯を提供することにある。
【課題を解決するための手段】
【０００６】
請求項１記載の発明は、巻芯に巻き取られて成る包帯であって、前記巻芯は、折り畳んで平板状とされ得る筒状部材から成り、筒状に復元して内部に所定空間を形成し得ることを特徴とする。
【０００７】
請求項２記載の発明は、請求項１記載の包帯において、前記巻芯は、包帯と略同一寸法の幅を有する長尺状シートの両端を接合して筒状とし、平板状に折り畳み可能とされたことを特徴とする。
【０００８】
請求項３記載の発明は、請求項２記載の包帯において、前記長尺状シートの少なくとも一端には、筒状に復元されたときに外方へ微小寸法突出する突起が形成されたことを特徴とする。
【発明の効果】
【０００９】
請求項１の発明によれば、折り畳んで平板状とされ得る筒状部材から成り、筒状に復元して内部に所定空間を形成し得る巻芯に巻き取られて成るので、使用時に空間部に指や手を挿通させることができ、取り扱い性を向上させるとともに、未使用時に平板状とすることにより空間をなくすことができ、より小型化することができる。
【００１０】
請求項２の発明によれば、巻芯が、包帯と略同一寸法の幅を有する長尺状シートの両端を接合して筒状とし、平板状に折り畳み可能とされているので、当該巻芯を簡易に製造することができ、製造コストを抑制することができる。
【００１１】
請求項３の発明によれば、長尺状シートの少なくとも一端に、筒状に復元されたときに外方へ微小寸法突出する突起が形成されているので、使用時において突起が包帯に引っ掛かり、当該包帯と巻芯とがずれてしまうのを回避することができる。
【発明を実施するための最良の形態】
【００１２】
以下、本発明の実施形態について図面を参照しながら具体的に説明する。
本実施形態に係る包帯は、図１及び図２に示すように、巻芯２に巻き取られて成るものである。かかる巻芯２に巻き取られる包帯１は、周知の如く、長尺状の形状とされた織物、編み物或いは不織布などから成り、人体の所望部位に巻き付けられて患部等を保護し得るものである。尚、適用される包帯１は、伸縮可能な伸縮型の包帯、非伸縮な包帯、或いは裏面に粘着層が形成された粘着型の包帯など何れの形態のものであってもよい。
【００１３】
巻芯２は、折り畳んで平板状とされ得る筒状部材から成り、筒状に復元して内部に所定空間Ｓを形成し得るよう構成されている。即ち、巻芯２が折り畳まれて平板状になった状態（図１に示す未使用時の状態）と、筒状に復元された状態（図２に示す使用時の状態）とで変形自在とされており、使用時には包帯１における巻き取りの軸方向に亘って空間Ｓが形成されているのである。
【００１４】
さらに具体的には、巻芯２は、図３に示すように、包帯１と略同一寸法の幅を有する紙製の長尺状シートから成り、かかる長尺状シートの両端２ａ及び２ｂを接着剤等にて接合して角筒状としている（図４参照）。尚、長尺状シートの両端２ａ及び２ｂを他の方法にて接合するようにしてもよく、例えば一端に形成した切り込みに他端を差し込んで係止する接合方法や、両端を粘着テープにて粘着する接合方法などとしてもよい。
【００１５】
このように角柱状に形成された巻芯２は、対向する角部を折り目として折り畳み可能とされており、図５に示すように、折り畳まれた状態においては、平板状になるよう構成されている。即ち、角柱状であるとき、内部に中空部（空間Ｓ）が形成されているとともに、角部を折り目として折り畳むと、平板状となって当該空間Ｓがなくなるようになっているのである。
【００１６】
一方、長尺状シートの一端２ｂには、角状の突起２ｃが予め形成されており、折り畳まれて平板状のときは突起せず（図５参照）、筒状に復元した際に外方へ微小寸法突出し得るようになっている（図４参照）。かかる突起２ｃは、長尺状シートの一端２ｂにおいて左右一対形成されており、巻き取られる包帯１にそれぞれが引っ掛って係止し得るよう構成されている。
【００１７】
そして、包帯１を巻芯２に巻き取るには、上記の如く製造された巻芯２を角柱状としておき、空間Ｓ形状に倣った挿通部材（不図示）を当該空間Ｓに挿通して固定させるとともに、包帯１の基端を巻芯２の表面に当てつつ挿通部を回転させる。これにより、包帯１は基端側から順次巻芯２に巻き取られ、所定巻き数が終了した後、挿通部材から取り除けば、図２に示す如き巻芯２に巻き取られた包帯１が得られる。尚、巻き取りの際は、突起２ｃが包帯１の基端側に引っ掛かって係止されるので、巻き取り時に長手方向に付与される張力により包帯１の基端と巻芯２とがずれてしまうのを回避することができる。
【００１８】
然るに、角中状の巻芯２における対向する角部を折り目として折り畳み、平板状にすれば、図１の如き包帯１が得られるので、これを梱包等して最終製品とする。従って、製品としての包帯１の運搬時や収納時には空間Ｓがなく、小型化を図ることができるとともに、包帯１全体が平板状とされているため、複数の包帯１を上下に積み重ねし易く、収容性をより向上させることができる。
【００１９】
また、使用時には、巻芯２を筒状に復元することにより、図６に示すように、内部の空間Ｓに指や手を挿通させ得るようになっている。例えば、同図に示すように、片手を空間Ｓに挿通しつつもう一方の手で包帯１の先端を掴んだ状態で、繰り出すことができるのである。これにより、従来の如く巻き取られた包帯１の側面を掴むものに比べ、繰り出しの際の掴み代え動作が不要となり、取り扱い性を向上させることができる。
【００２０】
上記実施形態によれば、包帯１の繰り出し時において、当該包帯１の巻芯２への巻き取り工程時と同様、突起２ｃが包帯１の基端側に引っ掛かって係止されるので、繰り出し時に長手方向に付与される張力により包帯１の基端と巻芯２とがずれてしまうのを回避することができる。また、巻芯２が角柱状とされているので、その対向する角部を折り目として折り畳み可能とすることができ、別途の折り目の形成工程を不要とすることができる。更に、巻芯２が紙（厚紙製）から成るので、材料費が安く製造コストを抑制することができる。
【００２１】
以上、本実施形態について説明したが、本発明はこれに限定されるものではなく、巻芯２は筒状であれば足り、例えば図７及び図８に示すように、円柱状に形成して空間Ｓが円形のもの或いは六角柱状に形成して空間Ｓが六角形のもの等とすることができる。勿論、空間Ｓを楕円形としたり或いは四角形や六角形以外の多角形とするようにしてもよい。また、巻芯２を折り畳み可能な紙以外の材質としてもよく、例えば折り畳みのための折り目が形成された樹脂製としてもよい。
【００２２】
更に、空間Ｓは、人の指や手が挿通され得る大きさであれば足り、幅の小さな包帯に適用する場合は指が入る小さな空間Ｓとし、幅の大きな包帯に適用する場合は手が入る大きな空間Ｓとするよう任意設定することができる。また更に、突起の形状は包帯１の基端側が引っ掛かるような形成とされていれば他の形状としてもよく、更には突起を形成しない巻芯としてもよい。
【産業上の利用可能性】
【００２３】
巻芯が、折り畳んで平板状とされ得る筒状部材から成り、筒状に復元して内部に所定空間を形成し得るような包帯であれば、種々の形態のものであってもよい。
【図面の簡単な説明】
【００２４】
【図１】本発明の実施形態に係る包帯であって巻芯が折り畳まれた状態を示す正面図及び側面図
【図２】本発明の実施形態に係る包帯であって巻芯が筒状に復元された状態を示す正面図及び側面図
【図３】同包帯が巻き取られる巻芯の製造過程を説明する模式図
【図４】同巻芯が筒状とされた状態を示す模式図
【図５】同巻芯が平板状とされた状態を示す模式図
【図６】同包帯の使用時であって繰り出す際の使用形態を示す模式図
【図７】本発明の他の実施形態に係る包帯（空間Ｓが円形のもの）を示す正面図及び側面図
【図８】本発明の他の実施形態に係る包帯（空間Ｓが六角形のもの）を示す正面図及び側面図
【符号の説明】
【００２５】
１    包帯
２    巻芯
２ａ  一端
２ｂ  他端
２ｃ  突起
Ｓ    空間
【図１】
2007020831.tif 000003
【図２】
2007020831.tif 000004
【図３】
2007020831.tif 000005
【図４】
2007020831.tif 000006
【図５】
2007020831.tif 000007
【図６】
2007020831.tif 000008
【図７】
2007020831.tif 000009
【図８】
2007020831.tif 000010